(57)【特許請求の範囲】
【請求項１】
橋梁を構成する橋桁と橋桁との境界又は前記橋梁の両端で前記橋桁の一端を支える橋台のパラペットと前記橋桁との境界に設けられ、気温の変化などに伴う前記橋桁の伸縮を吸収するための橋梁伸縮部に水が浸入しないようにする防水施工方法であって、
帯状の本体とこの本体を両側から支持するブロック状のフランジとを有し、少なくとも路面舗装時の舗装熱に耐える耐熱性と、路面を走行する車輌などによって容易に変形しない耐圧性とを備えるとともに、前記本体の下方に路面からの衝撃を前記橋梁伸縮部に設けられた目地部材に伝えないようにするための空間を形成する凹部を備えた被覆部材を準備し、
前記橋梁伸縮部を覆うように前記被覆部材を被せ、前記被覆部材の前記フランジを前記隣り合う橋桁の少なくとも一方に固定したこと、
を特徴とする橋梁伸縮部の防水施工方法。
【請求項２】
帯状に形成された液密性の防水シートを準備するとともに、この防水シートを収容する凹部を備えた前記被覆部材とを準備し、
所定長さの前記防水シートを、前記橋梁伸縮部を覆うように前記橋桁に貼着した後に、前記被覆部材を前記防水シートの上から被せたこと、
を特徴とする請求項１に記載の橋梁伸縮部の防水施工方法。
【請求項３】
前記防水シートが、帯状の基材層と、この基材層の少なくとも一方の面に形成された粘着性の貼着層とを有するものであることを特徴とする請求項２に記載の橋梁伸縮部の防水施工方法。
【請求項４】
前記防水シートが、少なくとも横断方向に伸縮性を有するものであることを特徴とする請求項２又は３に記載の橋梁伸縮部の防水施工方法。
【請求項５】
前記防水シートが、未加硫エストラマー又は加硫エストラマーからなる前記基材層と、オルガノポリシロキサンを主成分とする前記貼着層とを備えることを特徴とする請求項３又は４に記載の橋梁伸縮部の防水施工方法。
【請求項６】
前記防水シートを、前記路面を形成する橋面から地覆部を越えるまで延長して貼着したことを特徴とする請求項２〜５のいずれかに記載の橋梁伸縮部の防水施工方法。
【請求項７】
橋梁を構成する橋桁と橋桁との境界又は前記橋梁の両端で前記橋桁の一端を支える橋台のパラペットと前記橋桁との境界に設けられ、気温の変化などに伴う前記橋桁の伸縮を吸収するための橋梁伸縮部に水が浸入しないようにする防水施工構造であって、
少なくとも路面舗装時の舗装熱に耐える耐熱性と路面を走行する車輌などによって容易に変形しない耐圧性とを備えるとともに、路面からの衝撃を前記橋梁伸縮部に設けられた目地部材に伝えないようにするための空間を形成する凹部を備えた被覆部材を有し、
前記被覆部材は、帯状の本体とこの本体を両側から支持するブロック状のフランジとを有するとともに、前記本体の下方に前記凹部が形成され、
前記橋梁伸縮部を覆うように前記被覆部材を被せ、前記被覆部材の前記フランジを前記隣り合う橋桁の少なくとも一方に固定したこと、
を特徴とする橋梁伸縮部の防水施工構造。
【請求項８】
帯状に形成された液密性の防水シートを有し、前記被覆部材は前記防水シートを収容する凹部を備え、所定長さの前記防水シートを、前記橋梁伸縮部を覆うようにと前記橋桁に貼着した後に、前記被覆部材を前記防水シートの上から被せたこと、
を特徴とする請求項７に記載の橋梁伸縮部の防水施工構造。
【請求項９】
前記防水シートが、帯状の基材層と、この基材層の少なくとも一方の面に形成された粘着性の貼着層とを有するものであることを特徴とする請求項８に記載の橋梁伸縮部の防水施工構造。
【請求項１０】
前記防水シートが、少なくとも横断方向に伸縮性を有するものであることを特徴とする請求項８又は９に記載の橋梁伸縮部の防水施工構造。
【請求項１１】
前記防水シートが、未加硫エストラマー又は加硫エストラマーからなる前記基材層と、オルガノポリシロキサンを主成分とする前記貼着層とを備えることを特徴とする請求項８〜１０のいずれかに記載の橋梁伸縮部の防水施工構造。
【請求項１２】
前記防水シートを、前記路面を形成する橋面から地覆部を越えるまで延長して貼着したことを特徴とする請求項８〜１１のいずれかに記載の橋梁伸縮部の防水施工方法。
【発明の詳細な説明】
【技術分野】
【０００１】
本発明は、橋梁を構成する橋桁と橋桁との境界又は前記橋梁の両端で前記橋桁の一端を支える橋台のパラペットと前記橋桁との境界に設けられ、気温の変化などに伴う前記橋桁の伸縮を吸収するための橋梁伸縮部に水が浸入しないようする防水施工方法及び防水施工構造に関する。
【背景技術】
【０００２】
一般に橋梁においては、当該橋梁を構成する橋桁同士の継手部分あるいは橋桁と橋台のパラペットとの継手部分に、気温の変化や通過車両に伴う荷重変化などに起因する伸縮変形を吸収するための遊間などの橋梁伸縮部が設けられている。そして、この橋梁伸縮部（遊間）には、伸縮に追随して変形する柔軟な素材、例えば合成樹脂やゴムを発泡させたもの、又はアスファルトコンパウンドに繊維質材料等を混合したエラスタイトなどを板状にした目地部材が充填される。
【０００３】
しかし、路面のアスファルト舗装に食い込んだ石などの異物がやがて前記目地部材にまで達して前記目地部材を損傷させたり、路面を車輌が走行するたびに前記目地部材を下方に押して、長期期間を経過するうちに前記目地部材を橋梁伸縮部（遊間）から脱落させたりしてしまうことがあった。
また、橋桁の伸縮に起因する橋梁伸縮部（遊間）の変化の繰り返しや経年劣化により、目地部材にクラックなどの損傷が生じたりして、水漏れが発生することがある。目地部材の脱落や損傷などにより目地部材の防水機能が失われると、路面に降り注いだ雨水などが橋梁伸縮部（遊間）を通り抜け、橋桁の端面に沿って流下するようになる。流下した雨水等はコンクリート製の橋桁の端面からコンクリート内部に浸透してコンクリートを劣化させるほか、コンクリート内部の鉄筋や鉄製の構造部材を腐食させ、橋桁の強度を低下させる原因となる。また、特に、寒冷地において、冬季に路面に散布される塩化カルシウムや塩化カリウム等の凍結防止剤が、橋梁伸縮部（遊間）に入って露出しているコンクリート端面や鉄製の構造部材を劣化又は腐食させるという問題がある。
【０００４】
このような問題に鑑みて、従来より様々な防水施工方法が提案されている。
例えば特許文献１に記載の止水構造では、隣り合う橋桁（３）の床版（４）の遊間（５）に設ける１枚の防水シート（６）と、これを固定する複数個の固定部材（７）とから止水構造を構成するようにしている。
【０００５】
また、特許文献２に記載の防水補修方法では、隣り合う橋桁の端部上面に起立面を対向させてＬ字型のフェイスプレート（２ａ）（２ｂ）を配置し、ボルト（１３ａ）（１３ｂ）でフェイスプレート（２ａ）（２ｂ）を橋桁の端部上面に固定するとともに、前記橋桁間の継ぎ目の遊間を覆うように吊り下げ状態で弾性止水シート（１７）をフェイスプレート（２ａ）（２ｂ）と橋桁の端部上面との間に挟持させ、さらにゴム製シール材（９）と不透水性のウレタンフォームやスタイロフォームなどの発泡樹脂、常温加硫型の液状ゴム、水膨潤性ゴムなどからなる弾性止水層（８）をフェイスプレート（２ａ）（２ｂ）間に充填している。
【先行技術文献】
【特許文献】
【０００６】
【特許文献１】特開２０１８−１１９２６８号公報（要約及び図面の記載参照）
【特許文献２】特開２０１５−２２４４７８号公報（要約及び図面の図４の記載参照）
【発明の開示】
【発明が解決しようとする課題】
【０００７】
しかし、特許文献１に記載の止水構造は、橋桁間の遊間が数センチ程度しかない場合、当該遊間に防水シートをＵ字状に折り曲げて嵌め込むことが困難なうえ、これを固定するためのボルトなどの固定部材を橋桁の端面に打ち込むには専用の打設器具が必要で、かつ、多数本の固定部材を橋桁の端面に打ち込まなければならず、作業が煩雑になるうえ打設した孔から雨水等がコンクリート内部に浸入するおそれがあるという新たな問題を生じる。そのため遊間が小さい小形橋梁には設置が難しいという問題もある。
【０００８】
また、特許文献２に記載の防水補修方法では、Ｌ字型で長尺のフェイスプレート（２ａ）（２ｂ）間の間隔が均一になるように、高精度で橋桁にフェイスプレートを固定しなければならないうえ、長尺のフェイスプレートの間に遊間なくゴム製シール材（９）と弾性止水層（８）とを充填しなければならず、作業が煩雑で時間もかかり、コストも高くなるという問題がある。
【０００９】
本発明はこのような問題に鑑みてなされたもので、その目的とするところは、第一に、橋梁伸縮部に嵌装した目地部材に作用する負荷を可能な限り低減し、目地部材の損傷や脱落などを抑制して目地部材が本来有する防水機能を長持ちさせること、第二に、目地部材の防水機能が低下又は失われても、前記橋梁伸縮部への水の浸入を抑制することができる防水施工方法及び防水施工構造の提供にある。
【課題を解決するための手段】
【００１０】
上記第一の課題を解決するために請求項１に記載の防水施工方法は、橋梁を構成する橋桁と橋桁との境界又は前記橋梁の両端で前記橋桁の一端を支える橋台のパラペットと前記橋桁との境界に設けられ、気温の変化などに伴う前記橋桁の伸縮を吸収するための橋梁伸縮部に水が浸入しないようにする防水施工構造であって、少なくとも路面舗装時の舗装熱に耐える耐熱性と路面を走行する車輌などによって容易に変形しない耐圧性とを備えるとともに、路面からの衝撃を前記橋梁伸縮部に設けられた目地部材に伝えないようにするための空間を形成する凹部を備えた被覆部材を有し、前記被覆部材は、帯状の本体とこの本体を両側から支持するブロック状のフランジとを有するとともに、前記本体の下方に前記凹部が形成され、前記橋梁伸縮部を覆うように前記被覆部材を被せ、前記被覆部材の前記フランジを前記隣り合う橋桁の少なくとも一方に固定した方法としてある。
【００１１】
前記被覆部材は、路面を舗装する際の舗装熱（アスファルト合材の熱を含む）に耐えることができ、かつ、前記路面を車両が走行しても容易に変形せず、路面に食い込んだ石などの異物によって容易に変形又は損傷しない材料のもので形成する。ステンレスやアルミなどの金属材料で形成してもよいが、金属は長期使用のうちに腐食するため、長期使用しても腐食しない樹脂で形成するのが好ましい。このような樹脂としては例えば、ポリカーボネート（ＰＣ）やフェノール樹脂（ＰＦ）、メラミン樹脂（ＭＦ）、エポキシ樹脂（ＥＰ）、不飽和ポリエステル樹脂（ＵＰ）、ポリフェニレンスルファイド樹脂(ＰＰＳ)、液晶ポリマー(ＬＣＰ)、ポリエーテルエーテルケトン(ＰＥＥＫ)などを挙げることができる。
【００１２】
なお、本明細書における用語「防水施工」には、既設の橋梁の防水補修や防水補強だけでなく新設の橋梁の防水施工も含まれる。本発明の施工方法によれば、橋梁伸縮部が被覆部材によって被覆されているので、路面に食い込んだ石などの異物による目地部材の損傷や脱落を抑止できるとともに、路面を走行する車両による負荷や衝撃から前記目地部材を保護して、前記橋梁伸縮部に設けられた目地部材の防水機能を長期に亘って維持させることが可能になる。また、路面のアスファルト合材と目地部材とが前記被覆部材によって分離され、非接触状態になることから、前記アスファルト合材に起因する目地部材の劣化も抑制することができる。
前記被覆部材に形成された凹部は、異物や負荷、衝撃により前記被覆部材が変形しても、前記被覆部材が前記目地部材に接触しないような空間を形成して、前記異物や負荷、衝撃による影響を前記目地部材に伝えないようにする。
【００１３】
上記したように請求項１に記載の被覆部材を設置することで、目地部材の損傷や脱落、劣化を抑制して、目地部材の寿命を延ばすことが可能である。しかし、このような被覆部材を設けても、長期使用するうちに被覆部材は経年劣化し、橋梁伸縮部に水が浸入することになる。
そこで第二の課題を解決するために請求項２に記載の防水施工方法は、帯状に形成された液密性の防水シートを準備するとともに、この防水シートを収容する凹部を備えた前記被覆部材とを準備し、所定長さの前記防水シートを、前記橋梁伸縮部を覆うようにと前記橋桁に貼着した後に、前記被覆部材を前記防水シートの上から被せた方法としてある。
前記凹部の深さは、複数枚の防水シートを重ね合わせたときの肉厚よりと同
程度とするとよいが、異物や負荷、衝撃の影響により前記被覆部材が変形して
も前記被覆部材が前記防水シートに接触しないようにするために、前記肉厚よ
りも大きくするのが好ましい。
【００１４】
請求項２に記載の防水施工方法のように、請求項１の被覆部材に加えて、前記橋梁伸縮部を覆うように液密性の防水シートを橋桁の上面に貼着することで、経年劣化等により目地部材の防水機能が低下しても、前記橋梁伸縮部への水の浸入を抑制することができる。
【００１５】
前記防水シートは、請求項３に記載するように、帯状の基材層と、この基材層の少なくとも一方の面に形成された粘着性の貼着層とを有するものであってもよい。このような防水シートであれば、橋桁の端部の上面や橋台のパラペットに貼り付けるだけで、前記橋梁伸縮部を覆うように防水シートを設置することが可能である。
前記防水シートは、前記橋梁伸縮部の伸縮に追随して伸縮するように少し撓ませて貼付してもよいが、請求項４に記載するように、少なくとも横断方向に伸縮性を有するものであってもよい。
【００１６】
前記防水シートとしては、例えば請求項５に記載するように、未加硫エストラマー又は加硫エストラマーからなる前記基材層と、オルガノポリシロキサンを主成分とする前記貼着層とを備えたものを挙げることができる。このような防水シートは、防水シートの貼着作業を容易にして工期を大幅に短縮できるという利点がある。
また、請求項６に記載するように、前記防水シートは、前記路面を形成する橋面から地覆部を越えるまで延長して貼着してもよい。なお、前記地覆部に高欄が設けられている場合は、前記高欄を越えるまで延長して貼着してもよい。
このようにすることで、水が浸透しやすい橋桁と橋桁との境界又は前記橋桁と橋台のパラペットとの境界のうちの大部分を前記防水シートで覆うことができ、前記橋梁伸縮部への水の浸透抑制効果をさらに高めることができる。
【００１７】
課題１を解決するための本発明の橋梁伸縮部の防水施工構造は、請求項７に記載するように、橋梁を構成する橋桁と橋桁との境界又は前記橋梁の両端で前記橋桁の一端を支える橋台のパラペットと前記橋桁との境界に設けられ、気温の変化などに伴う前記橋桁の伸縮を吸収するための橋梁伸縮部に水が浸入しないようにする防水施工構造であって、少なくとも路面舗装時の舗装熱に耐える耐熱性と路面を走行する車輌などによって容易に変形しない耐圧性とを備えるとともに、路面からの衝撃を前記橋梁伸縮部に設けられた目地部材に伝えないようにするための空間を形成する凹部を備えた被覆部材を有し、前記被覆部材は、帯状の本体とこの本体を両側から支持するブロック状のフランジとを有するとともに、前記本体の下方に前記凹部が形成され、前記橋梁伸縮部を覆うように前記被覆部材を被せ、前記被覆部材の前記フランジを前記隣り合う橋桁の少なくとも一方に固定した構成としてある。
【００１８】
また、課題２を解決するための本発明の橋梁伸縮部の防水施工構造は、請求項８に記載するように、帯状に形成された液密性の防水シートを有し、前記被覆部材は前記防水シートを収容する凹部を備え、所定長さの前記防水シートを、前記橋梁伸縮部を覆うように前記橋桁に貼着した後に、前記被覆部材を前記防水シートの上から被せた構造とするとよい。
前記防水シートは、請求項９に記載するように、前記防水シートが、帯状の基材層と、この基材層の少なくとも一方の面に形成された粘着性の貼着層とを有する構成とすることができる。
また、前記防水シートは、請求項１０に記載するように、少なくとも横断方向に伸縮性を有するものであってもよい。請求項１１に記載するように、前記防水シートは、未加硫エストラマー又は加硫エストラマーからなる前記基材層と、オルガノポリシロキサンを主成分とする前記貼着層とを備えるものであることが好ましい。
上記防水シートは、請求項１２に記載するように、前記路面を形成する橋面から地覆部を越えるまで、また、前記地覆部に高欄が設けられている場合は前記高欄を越えるまで延長して貼着してもよい。
【発明の効果】
【００１９】
本発明は上記のように構成されているので、被覆部材によって橋梁伸縮部に嵌装した目地部材に負荷がほとんど掛からないようにして、目地部材の損傷や脱落を防止し、前記橋梁伸縮部に設けられた目地部材の防水機能を長持ちさせることができる。
また、遊間などの橋梁伸縮部に防水シートを被覆することで、目地部材が劣化等して防水機能が低下しても、前記橋梁伸縮部への水の浸入を抑制することができる。また、貼着層を有する防水シートを用いれば、防水シートを橋桁の端部や橋台のパラペットに貼りつけ、その上から被覆部材を被せるだけで防水施工が完了することができるので、熟練を要せず極めて簡単かつ短時間で防水施工を行うことができ、コストも低廉にすることができる。
【発明を実施するための最良の形態】
【００２０】
本発明の好適な実施形態について、図を参照しながら詳細に説明する。
図１は本発明の防水施工方法及び防水施工構造の第一の実施形態を示す概略図で、橋桁の橋梁伸縮部を示したものである。
コンクリート製の一対の橋桁２は、橋脚１によってその両端が支持され、その表面にはアスファルト舗装された路面４が形成されている。一対の橋桁２の間には、気温の変化等による橋桁２の伸縮を吸収するための橋梁伸縮部である遊間３が形成され、エラスタイトなどの緩衝用ゴム製の目地部材５が両橋桁２の対向面に固定して配設されている。
【００２１】
一対の橋桁２の上面には、遊間３を覆うように被覆部材１２が取り付けられる。被覆部材１２は、アスファルト合材などで形成された路面４の舗装時の熱によって容易に変形しない耐熱性と、路面４にかかる車両走行時の荷重によって容易に変形しない耐圧性を有するものである。このような条件を満たす被覆部材１２の材料としては、ステンレスやアルミ合金などの金属を選択することができるが、金属は長期使用のうちに腐食を生じることから、長期使用しても腐食しない樹脂、例えば、ポリカーボネート（ＰＣ）やフェノール樹脂（ＰＦ）、メラミン樹脂（ＭＦ）、エポキシ樹脂（ＥＰ）、不飽和ポリエステル樹脂（ＵＰ）、エポキシ樹脂（ＥＰ）、不飽和ポリエステル樹脂（ＵＰ）、ポリフェニレンスルファイド樹脂(ＰＰＳ)、液晶ポリマー(ＬＣＰ)、ポリエーテルエーテルケトン(ＰＥＥＫ)などを挙げることができる。
【００２２】
被覆部材１２は、帯状の本体１２ａと、この本体１２ａの両端に形成されたフランジ１２ｂとを有している。目地部材５と対面する本体１２ａの底面には凹部１２ｄが形成されている。この凹部１２ｄの深さは、路面４を走行する車両による負荷や衝撃によって被覆部材１２が変形しても、この変形を吸収して目地部材５に負荷や衝撃を伝達しない空間が形成されるものである。
被覆部材１２の左右のフランジ１２ｂのうちの一方は、一対の橋桁２のうちの一方に、ボルト１２ｃや溶接などによって固定される。
なお、左右のフランジ１２ｂの両方をボルト１２ｃなどで橋桁２に取り付けてもよいが、左右のフランジ１２ｂの両方を一対の橋桁２に固定すると、橋桁２の伸縮によって被覆部材１２が変形してしまうため、いずれか一方のフランジ１２ｂにおいてボルト１２ｃを通す孔を長孔として、橋桁２が伸縮してもこの伸縮を前記長孔で吸収できるようにするとよい。
【００２３】
防水施工工事に際しては、少なくとも隣り合う橋桁２の遊間３を含む部分から路面４を取り除き、被覆部材１２を取り付けるための面をきれいに清掃又は洗浄する。必要に応じて錆の除去なども行う。この後、被覆部材１２を遊間３の上に被せ、ボルト１２ｃなどで被覆部材１２を橋桁２の少なくとも一方に固定する。そして、被覆部材１２の上にアスファルト合材を載せて均し、路面４を形成する。
【００２４】
この実施形態では、路面４と目地部材５との間に被覆部材１２が介在しているので、路面４に食い込んだ石などの異物による目地部材５の損傷や脱落を抑止でき、遊間３に設けられた目地部材５の防水機能を長期に亘って維持させることが可能になる。
また、アスファルト合材などで形成された路面４と目地部材５とが被覆部材１２によって非接触状態に保たれていること、特に凹部１２ｄによって目地部材５と被覆部材１２との間に空間が形成されていることから、樹脂で形成された目地部材５の経年劣化の進行を抑制することができる。
【００２５】
図２は本発明の防水施工方法及び防水施工構造の第二の実施形態を示す概略図で、（ａ）は橋桁の橋梁伸縮部を示したもの、（ｂ）は（ａ）の被覆部材における各部の寸法の関係を説明するための断面図である。
なお、第一の実施形態と同一部位、同一部材には同一の符号を付して、詳細な説明は省略する。
この実施形態では、一対の橋桁２の上面に、遊間３を覆うようにゴム弾性体製で液密の防水シート１３が貼り付けられる。
【００２６】
防水シート１３は、遊間３の最大幅Ｓの数倍（３倍〜５倍程度）の幅Ｈ１を有し、遊間３の長手方向（図１の紙面に直交する方向）と同方向に延びる帯状の基材層と、この基材層の一方の面に形成された粘着性の貼着層とを有する。前記基材層は、橋桁２の伸縮にともなう遊間３の変化に追随して、幅方向（図２の左右方向）に伸縮できるものであるものが好ましい。また前記貼着層は、コンクリートや鉄など、橋桁２を構成する材料に強力に貼着できるものであればよい。このような条件を満たす防水シート１３としては、未加硫エストラマー又は加硫エストラマーからなる前記基材層と、オルガノポリシロキサンを主成分とする前記貼着層とを備えたものを挙げることができる。例えば信越化学工業株式会社から市販されている「パッチシール」（商品名）を利用することができる。
【００２７】
この実施形態の被覆部材１２の凹部１２ｄは、防水シート１３の収容部として形成されている。凹部１２ｄの幅Ｈ２は、防水シート１３の幅Ｈ１と同一又はこれより若干広幅（図示の例では、幅Ｈ１の二倍程度）に形成され、かつ、その深さｔ２は、隣接する２枚の防水シート１３を部分的に重ね合わせても当該重ね合わせた部分を収容できるように、防水シート１３の肉厚ｔ１の少なくとも二倍とする。路面４を走行する車両による負荷や衝撃によって被覆部材１２が変形しても、この負荷や衝撃を防水シート１３に伝えないようにするために、深さｔ２は肉厚ｔ１の二倍を超える大きさとするのが好ましい。
【００２８】
防水施工工事に際しては、少なくとも隣り合う橋桁２の遊間３を含む部分から路面４を取り除き、防水シート１３を貼着するための面をきれいに清掃又は洗浄する。また、必要に応じて錆の除去なども行い、十分に乾燥させることが望ましい。この後、一定の長さに切断した帯状の防水シート１３を遊間３の長手方向に沿わせ、貼着層を橋桁２の端部上面の遊間３の両側に均等に貼り付ける。大形橋梁のように遊間３の長さが長い場合は、複数回に分けて貼り付け作業を行ってもよい。また、このとき、橋桁２が伸縮する際に防水シート１３の横断方向に作用する負荷を可能な限り低減するように、防水シート１３を少し撓ませて貼着してもよい。
【００２９】
防水シート１３は遊間３の被覆部材１２を設置する部分にだけ貼付してもよいが、図３（ａ）に示すように、防水シート１３（図３において太線で示す）は橋面２ｂからその両端の地覆部２ａを越えて橋桁２の両側面にまで延ばすことが好ましい。また、図３（ｂ）に示すように、地覆部２ａに高欄２ｃが一体に設けられている場合は、防水シート１３は橋面２ｂからその両端の地覆部２ａ及び高欄２ｃを越えて、橋桁２の両側面にまで延ばすことが好ましい。
このようにすることで、隣接する橋桁２の間の遊間３の大部分を防水シート１３で覆うことができ、遊間３への雨水などの浸透をより効果的に抑制することができる。
防水シート１３を貼付した後は、被覆部材１２を防水シート１３の上に被せ、ボルト１２ｃなどで被覆部材１２を橋桁２の少なくとも一方に固定する。以上の作業が終了したら、被覆部材１２の上にアスファルト合材を載せて均し、路面４を形成する。
【００３０】
上記の第一及び第二の実施形態で説明した防水施工方法及び防水施工構造によれば、極めて簡単かつ短時間で防水施工を行うことが可能になる。
本発明の好適な実施形態について説明したが、本発明は上記の説明により限定されるものではない。
例えば、防水シート１３は、橋面部分２ｂからその両端の地覆部２ａを越えて橋桁２の両側面にまで延ばすものとして説明したが、防水施工が必要な部分だけに防水シート１３を貼り付けるようにしてもよい。
また、上記の説明では橋桁２と橋桁２との間の橋梁伸縮部（遊間３）を例に挙げて説明したが、本発明は橋桁２と橋台のパラペットとの間の橋梁伸縮部（遊間３）の防水施工にも適用が可能である
【産業上の利用可能性】
【００３１】
本発明は、橋梁の大きさに関わらず適用が可能であるが、橋梁伸縮部である遊間３を覆うように路面４を形成し、路面４の遊間３に対応する部分に切り込み１１を入れた比較的小型の橋梁に好適に適用が可能である。
また本発明は、既設の橋梁の防水補修に限らず、新設の橋梁の防水施工にも好適に適用が可能である。
【図面の簡単な説明】
【００３２】
【図１】本発明の防水施工方法及び防水施工構造の第一の実施形態を示す概略図で、橋桁の橋梁伸縮部を示したものである。
【図２】本発明の防水施工方法及び防水施工構造の第二の実施形態を示す概略図で、橋桁の橋梁伸縮部を示したものである。
【図３】防水シートの貼り付け例を示す図で、（ａ）は橋面から地覆部を越えて貼り付けた状態を示し、（ｂ）は橋面から地覆部及び高欄を越えて貼り付けた状態を示す図である。
【符号の説明】
【００３３】
１        橋脚
２        橋桁
２ａ      地覆部
２ｂ      橋面
２ｃ      高欄
３        遊間（橋梁伸縮部）
４        路面
５        目地部材
１２      被覆部材
１２ａ    本体
１２ｂ    フランジ
１２ｃ    ボルト
１２ｄ    凹部
１３      防水シート
【要約】
【課題】  熟練を必要とせず簡単かつ短時間で防水施工を行うことができ、低廉なコストで橋梁の大小に関わらず施工が可能な橋梁伸縮部における防水施工方法を提供する。
【解決手段】  橋梁を構成する橋桁２，２の境界又は前記橋梁の両端で橋桁２の一端を支える橋台のパラペットと橋桁２との境界に設けられ、気温の変化などに伴う橋桁２の伸縮を吸収するための橋梁伸縮部３に水が浸入しないようにする防水施工方法であって、路面舗装時の舗装熱に耐える耐熱性と、路面４を走行する車輌などによって変形しない耐圧性とを有する被覆部材１２を準備し、橋梁伸縮部３を覆うように被覆部材１２を被せ、被覆部材１２を前記隣り合う橋桁２，２の少なくとも一方に固定した方法としてある。
【選択図】  図１【図１】
0006675533.tif 000002
【図２】
0006675533.tif 000003
【図３】
0006675533.tif 000004